(57)【要約】  グループ通信サービスイネーブラ（ＧＣＳＥ）は、グループサービスに関連する地理的領域制約に基づいて、モバイル機器によるグループサービスの形成及びグループサービスへのアクセスを制御する。モバイル機器は、地理的制約の例外適用を受けることができる。モバイル機器がグループサービスに参加又は離脱し、及びセルからセルにローミングを行うと、関連するマルチメディアブロードキャスト／マルチキャストサービス（ＭＢＭＳ）の送信を作成又は修正することによって、グループサービスが使用するワイヤレスリソースが調整される。【選択図】  図３
2016534608.tif 000002
【特許請求の範囲】
【請求項１】
無線通信ネットワーク内のネットワーク側サーバで実現される方法において、
第１のユーザ機器から受信した第１の要求に基づいて、グループ通信サービスを確立するステップであって、前記グループ通信サービスの確立は、前記要求に関連する地理的情報に応じたものであるステップと、
前記無線通信ネットワーク内の第１のサーバとメッセージを交換し、前記グループ通信サービスに通信リソースを割り当てるステップと、
グループ通信サービスへの第２のユーザ機器の加入を管理するステップと、
を含む方法。
【請求項２】
前記要求に関連する地理的情報は、前記第１のユーザ機器の位置を含む、請求項１記載の方法。
【請求項３】
前記要求に関連する地理的情報は、前記第１のユーザ機器による前記第１の要求に含まれる、請求項１記載の方法。
【請求項４】
前記地理的情報は、前記グループ通信サービスによってカバーされる領域を特定する、請求項３記載の方法。
【請求項５】
前記第２のユーザ機器から、前記グループ通信サービスに参加するための第２の要求を受信するステップを更に含む、請求項４記載の方法。
【請求項６】
前記第２のユーザ機器が前記領域の外にあるとき、前記グループ通信サービスへの前記第２のユーザ機器の加入を拒否するステップを更に含む、請求項５記載の方法。
【請求項７】
前記第２のユーザ機器が前記領域外にあるとき、前記第２の要求が例外適用命令を含む場合のみ、前記グループ通信サービスへの前記第２のユーザ機器の加入を許可するステップを更に含む、請求項５記載の方法。
【請求項８】
前記第２のサーバと通信し、前記要求に関連する地理的情報を取得するステップを更に含む、請求項１記載の方法。
【請求項９】
前記グループ通信サービスにセル内の複数のユーザ機器が加入しているとき、前記割り当てられた通信リソースを調整して前記セルのマルチキャスト通信リソースを含ませるステップを更に含む、請求項１記載の方法。
【請求項１０】
前記通信リソースは、前記グループ通信サービスに割り当てられたマルチメディアブロードキャストマルチキャストサービス（multimedia broadcast multicast service：ＭＢＭＳ）チャンネルを含む、請求項１記載の方法。
【請求項１１】
コードを保存するメモリと、
前記メモリからコードを読み出し、方法を実現するプロセッサと、を備える装置であって、前記方法は、
第１のユーザ機器から受信した第１の要求に基づいて、グループ通信サービスを確立するステップであって、前記グループ通信サービスの確立は、前記要求に関連する地理的情報に応じたものであるステップと、
前記無線通信ネットワーク内の第１のサーバとメッセージを交換し、前記グループ通信サービスに通信リソースを割り当てるステップと、
グループ通信サービスへの第２のユーザ機器の加入を管理するステップと、を含む、装置。
【請求項１２】
前記要求に関連する地理的情報は、前記第１のユーザ機器の位置を含む、請求項１１記載の装置。
【請求項１３】
前記要求に関連する地理的情報は、前記第１のユーザ機器による前記第１の要求に含まれる、請求項１１記載の装置。
【請求項１４】
前記地理的情報は、前記グループ通信サービスによってカバーされる領域を特定する、請求項１３記載の装置。
【請求項１５】
前記プロセッサによって実現される方法は、前記第２のユーザ機器から、前記グループ通信サービスに参加するための第２の要求を受信するステップを更に含む、請求項１４記載の装置。
【請求項１６】
前記プロセッサによって実現される方法は、前記第２のユーザ機器が前記領域の外にあるとき、前記グループ通信サービスへの前記第２のユーザ機器の加入を拒否するステップを更に含む、請求項１５記載の装置。
【請求項１７】
前記プロセッサによって実現される方法は、前記第２のユーザ機器が前記領域外にあるとき、前記第２の要求が例外適用命令を含む場合のみ、前記グループ通信サービスへの前記第２のユーザ機器の加入を許可するステップを更に含む、請求項１５記載の装置。
【請求項１８】
前記プロセッサによって実現される方法は、前記第２のサーバと通信し、前記要求に関連する地理的情報を取得するステップを更に含む、請求項１１記載の装置。
【請求項１９】
前記プロセッサによって実現される方法は、前記グループ通信サービスにセル内の複数のユーザ機器が加入しているとき、前記割り当てられた通信リソースを調整して前記セルのマルチキャスト通信リソースを含ませるステップを更に含む、請求項１１記載の装置。
【請求項２０】
前記通信リソースは、前記グループ通信サービスに割り当てられたマルチメディアブロードキャストマルチキャストサービス（multimedia broadcast multicast service：ＭＢＭＳ）チャンネルを含む、請求項１１記載の装置。
【請求項２１】
地理的領域内の複数のモバイル機器と、
グループ通信サービスイネーブラ（group communication service enabler：ＧＣＳＥ）と、を備え、
前記グループ通信サービスイネーブラは、
前記地理的領域において複数のモバイル機器にサービスを提供するグループ通信サービスを確立し、
新しいモバイル機器の資格取得に基づいて、前記新しいモバイル機器のグループ通信サービスへの参加を制御し、
前記グループ通信サービスに無線通信リソースを割り当てるように構成されている、通信システム。
【請求項２２】
前記ＧＣＳＥは、更に、
要求側モバイル機器が前記地理的領域内で動作している場合のみ、前記要求側モバイル機器が受信機又は送信機として前記グループ通信サービスに加入することを許可するように構成されている、請求項２１記載のシステム。
【請求項２３】
前記ＧＣＳＥは、前記地理的領域の外で動作する要求側モバイル機器が前記グループ通信サービスの地理的制約の例外適用を受ける証明を提示した場合のみ、前記要求側モバイル機器が受信機又は送信機として前記グループ通信サービスに参加することを許可するように構成されている、請求項２１記載のシステム。
【請求項２４】
無線通信を実現する装置において、
地理的情報を含む第１のグループ通信サービス要求を受信する手段と、
前記第１のグループ通信サービス要求に基づいてグループ通信サービスを確立する手段と、
前記グループ通信サービスのための通信リソースを取得する手段と、
前記グループ通信サービスへの加入を管理する手段と、
を備える装置。
【請求項２５】
前記加入を管理する手段は、前記地理的情報に基づいて、前記グループ通信サービスへの加入を管理する、請求項２４記載の装置。
【発明の詳細な説明】
【技術分野】
【０００１】
関連出願
本出願は、２０１３年８月１日に出願された米国仮出願番号第６１／８６１，１８６号の優先権を主張する。上述の特許出願の全ての内容は、参照によって本願に援用される。
本出願は、無線通信に関する。
【背景技術】
【０００２】
今日では、無線セルラネットワークは、人間が移動できる殆ど全ての地域をカバーしている。遠隔の地域であってもデータ及び音声通信のための無線信号を発見できることは希ではない。汎用セルラネットワークの通信可能範囲が拡大し及び無線デバイスが激増したことによって、災害時又は非常時の通信手段として、公に携帯電話が使われることも多い。利用可能なセルラ方式電話通信インフラストラクチャを使用して、救急要員（例えば警察官及び消防士）が互いに及び市民と通信することもある。
【発明の概要】
【課題を解決するための手段】
【０００３】
グループ通信サービスイネーブラ（ＧＣＳＥ）は、グループサービスに関連する地理的領域制約に基づいて、モバイル機器によるグループサービスの形成及びグループサービスへのアクセスを制御する。モバイル機器は、地理的制約の例外適用を受けることができる。モバイル機器がグループサービスに参加又は離脱し、及びセルからセルにローミングを行うと、関連するマルチメディアブロードキャスト／マルチキャストサービス（ＭＢＭＳ）の送信を作成又は修正することによって、グループサービスが使用するワイヤレスリソースが調整される。
【０００４】
一側面として、無線通信ネットワーク内のネットワーク側サーバで実現される方法を開示する。方法は、第１のユーザ機器から受信した第１の要求に基づいて、グループ通信サービスを確立するステップであって、グループ通信サービスの確立は、要求に関連する地理的情報に応じたものであるステップと、無線通信ネットワーク内の第１のサーバとメッセージを交換し、グループ通信サービスに通信リソースを割り当てるステップと、グループ通信サービスへの第２のユーザ機器の加入を管理するステップとを有する。
【０００５】
他の側面として、地理的領域内の複数のモバイル機器と、グループ通信サービスイネーブラ（group communication service enabler：ＧＣＳＥ）とを備える通信システムを開示する。ＧＣＳＥは、地理的領域において複数のモバイル機器にサービスを提供するグループ通信サービスを確立し、新しいモバイル機器の資格取得に基づいて、新しいモバイル機器のグループ通信サービスへの参加を制御し、グループ通信サービスに無線通信リソースを割り当てるように構成されている。
以下では、添付の図面を参照して、これらの及びこの他の側面を説明する。
【図面の簡単な説明】
【０００６】
【図１】無線通信システムの具体例を示す図である。
【図２】無線局アーキテクチャの具体例を示す図である。
【図３】構成可能なグループ通信サービスを提供する無線ネットワークの具体例を示す図である。
【図４Ａ】構成可能なグループ通信サービスを提供する無線ネットワークにおける、信号フローの例を示す図である。
【図４Ｂ】構成可能なグループ通信サービスを提供する無線ネットワークにおける、信号フローの例を示す図である。
【図５】構成可能なグループ通信サービスを提供する無線ネットワークにおける、他の信号フローの例を示す図である。
【図６】無線グループ通信のプロセスのフローチャートである。
【図７】無線グループ通信を実行する装置のブロック図である。
【発明を実施するための形態】
【０００７】
グループ通信サービス（group communication service：ＧＣＳ）は、制御された手法で複数のユーザに同じコンテンツを配布するメカニズムを提供できる。典型的な陸上移動無線（Land Mobile Radio：ＬＭＲ）システムでも類似したグループ通信が使用されている。ＬＭＲシステムの多くは、このようなグループ通信に「プッシュツートーク」（Push to Talk：ＰＴＴ）タイプのサービスを提供し、ＰＴＴ音声通信を可能にしている。
【０００８】
広く普及している幾つかのモバイルアプリケーション、例えば、ツイッター（Twitter）及びＷｈａｔｓＡｐｐ等は、アプリケーション層接続性をユーザのグループに提供し、これによって、１人のユーザが、メッセージ（オーディオ／テキスト／イメージ）をユーザのグループに送信することができる。しかしながら、これらの技術は、グループの地理的関係性の概念が欠如している。更に、グループは、通常、ツイッター及びＷｈａｔｓＡｐｐによって動作されるアプリケーション層で形成されるので、同じセル内の複数の無線ユーザへの実際のメッセージ発信は、ユーザへのユニキャストメッセージ上で行われ、これによって、無線帯域幅を必要以上に浪費する。
【０００９】
ＧＣＳが柔軟な動作モードを有していれば有益である。例えば、ユーザは、会話型通信（例えば、音声、ビデオ）、ストリーミング（例えば、ビデオ）又はデータ（例えば、メッセージ発信）又はこれらの組合せ等、コンテンツタイプに基づく様々なＧＣＳに加入することを望むことがある。このようなサービスによって、ユーザは、同時に平行して幾つかグループに参加することができ、例えば、１つのグループと音声通信を行い、他のグループとビデオ又はデータのストリーミングを行うことができる。更に、幾つかの用途においては、例えば、火事、地震等の災害に対応する際に、グループを一時的に形成し、グループの必要がなくなると、グループを終了する必要がある場合もある。１つの例示的なシナリオでは、災害時に招集された消防士又は警察官のサービスグループを、各自の地理的な位置に基づいて作成する。通信帯域幅を節約するために、この状況に関わらない他の消防士は、このグループから自動的に除外してもよい。オプションとして、地理的制約を超えて、一部の消防士（例えば、消防署長）を含ませてもよい。
【００１０】
ここに開示する技術を用いて、ＧＣＳ対応サービスのエンドユーザをグループ（ＧＣＳＥグループ）に組織化することができる。エンドユーザ（例えば、ユーザデバイスを使用しているエンドユーザ）は、各ユーザデバイスにおいて事前に構成された（preconfigured）対応するＧＣＳＥグループＩＤを有する複数のグループのメンバであることがある。そして、これらのエンドユーザは、それぞれのＧＣＳＥグループのグループメンバになることができる。幾つかの実施形態では、ＧＣＳＥグループは、デフォルトでは、システム全体の範囲であってもよく、これは、ＧＣＳＥサービスのユーザが、オペレータサービスを利用可能な如何なる位置にいてもよいことを意味する。
【００１１】
本明細書は、例えば、３ＧＰＰ及び３ＧＰＰ２ネットワーク等の通信ネットワーク内に配備し、ＧＣＳＥ通信の地理的範囲を構成できる方法及び装置を開示する。ＧＣＳＥ通信の地理的範囲に関連する能力は、ＧＣＳＥグループのためのグループ通信を定義された地理的エリアに制限する技術（例えば、グループメンバは、この地理的範囲内のみで受信及び／又は送信を行うことができる）、ＧＣＳＥグループのための地理的範囲を再定義する技術、及びＧＣＳＥ通信の地理的範囲に関連する能力を認識する技術を含む。以下では、これらの及びこの他の側面を説明する。
【００１２】
３ＧＰＰ（3rd Generation Partnership Project：）及び３ＧＰＰ２（Third Generation Partnership Project 2）等の幾つかの組織は、公衆の安全及び他の商業的用途のために、ＬＴＥ（Long Term Evolution）、ＬＴＥ／ＥＵＴＲＡＮ（Evolved Universal Terrestrial Radio Access）及びＣＤＭＡ２０００技術に亘ってグループ通信サービスをサポートするソリューションを開発している。「ＧＣＳＥ（Group Communication System Enabler：グループ通信システムイネーブラ）」という用語は、各ネットワークにおける、このようなグループ通信能力を指す。実際の実現例では、ＧＣＳＥは、サービス、ソフトウェアモジュール及び／又はハードウェアプラットホームを指すこともある。説明のため、ここでは、３ＧＰＰ  ＥＰＳ（Evolved Packet Core）ネットワークに関連して様々な技術を開示するが、これらの技術は、他の通信ネットワークにも同様に適用できる。
【００１３】
図１は、無線通信システムの具体例を示している。無線通信システムは、１つ以上の基地局（ＢＳ）１０５ａ、１０５ｂ、１つ以上の無線デバイス１１０ａ、１１０ｂ、１１０ｃ、１１０ｄ及びアクセスネットワーク１２５を含むことができる。基地局１０５ａ、１０５ｂは、１つ以上の無線セクタにおいて、無線サービスを無線デバイス１１０ａ、１１０ｂ、１１０ｃ、１１０ｄに提供することができる。幾つかの具体例では、基地局１０５ａ、１０５ｂは、２つ以上の指向性ビームを生成し、異なるセクタの無線範囲を提供する指向性アンテナを含む。
【００１４】
アクセスネットワーク１２５は、１つ以上の基地局１０５ａ、１０５ｂと通信することができる。幾つかの具体例では、アクセスネットワーク１２５は、１つ以上基地局１０５ａ、１０５ｂを含む。幾つかの具体例では、アクセスネットワーク１２５は、他の無線通信システム及び有線通信システムとの接続を提供するコアネットワーク（図１には示していない）と通信する。コアネットワークは、加入した無線デバイス１１０ａ、１１０ｂ、１１０ｃ、１１０ｄに関連する情報を格納する１つ以上のサービス加入データベース（service subscription database）を含んでいてもよい。第１の基地局１０５ａは、第１の無線アクセス技術に基づく無線サービスを提供することができ、第２の基地局１０５ａは、第２の無線アクセス技術に基づく無線サービスを提供することができる。基地局１０５ａ、１０５ｂは、同じ場所に位置してもよく、準拠シナリオに基づく場所に別個に設置してもよい。アクセスネットワーク１２５は、複数の異なる無線アクセス技術をサポートすることができる。
【００１５】
本発明の技術及びシステムを実装することができる無線通信システム及びアクセスネットワークの様々な具体例としては、特に、符号分割多元接続（Code Division Multiple Access：ＣＤＭＡ）に基づく無線通信システム、例えば、ＣＤＭＡ２０００  １ｘ、ＨＲＰＤ（High Rate Packet Data）、ＨＲＰＤ（High Rate Packet Data）、ｅＨＲＰＤ（evolved HRPD）、ＵＭＴＳ（Universal Mobile Telecommunications System）、ＵＴＲＡＮ（Universal Terrestrial Radio Access Network）、Ｅ−ＵＴＲＡＮ（Evolved UTRAN）、ＬＴＥ（Long-Term Evolution）等が含まれる。幾つかの具体例では、無線通信システムは、異なる無線技術を用いた複数のネットワークを含むことができる。デュアルモード又はマルチモード無線デバイスは、２つ以上の無線技術を含み、異なる無線ネットワークに接続するために用いることができる。幾つかの具体例では、無線デバイスは、音声−データ同時処理（Simultaneous Voice-Data Operation：ＳＶ−ＤＯ）をサポートできる。
【００１６】
図２は、無線局２０５の一部のブロック図である。例えば、基地局又は無線デバイスである無線局２０５は、ここに開示する無線技術の１つ以上を実装するマイクロプロセッサ等のプロセッサ回路２１０を含むことができる。無線局２０５は、アンテナ２２０等の１つ以上の通信インタフェースを介して無線信号を送信及び／又は受信する送受信回路２１５を含むことができる。無線局２０５は、データを送信及び受信するための他の通信インタフェースを含むことができる。無線局２０５は、データ及び／又は命令等の情報を保存するように構成された１つ以上のメモリを含むことができる。幾つかの具体例では、プロセッサ回路２１０は、送受信回路２１５の少なくとも一部を含むことができる。幾つかの実施形態においては、ここに開示する技術、モジュール又は機能の少なくとも一部は、無線局２０５を用いて実現される。
図３は、ＧＣＳＥサービスを提供するための３ＧＰＰ  ＥＰＳ３００の構造を簡略化して示している。
【００１７】
この高レベルアーキテクチャの図は、アプリケーション層及び３ＧＰＰ  ＥＰＳ層からなる。アプリケーション層は、ＧＣＳＥアプリケーションサーバ（GCSE Application Server：ＧＣＳＥ  ＡＳ）３０２と、図１のユーザ機器（user equipment：ＵＥ）１１０と同様のユーザ機器内のＧＣＳＥアプリケーションクライアント３０４とを含む。３ＧＰＰ  ＥＰＳ層は、３ＧＰＰ  ＬＴＥネットワークにより提供される他の機能と連携して動作するＭｕＳｅ（マルチポイントサービス：Multipoint Service）機能３０６を含む。ＧＣＳＥ  ＡＳ３０２及びＭｕＳｅ機能３０６は、例えば、コアネットワーク１２５内に設けてもよい。
【００１８】
参照点ＧＣ１は、ＵＥ内のＧＣＳＥアプリケーションと、ＧＣＳＥ  ＡＳ３０２との間の参照点である。これは、ＧＣＳＥサービスのためのＭｕＳｅ機能を有効にするために、必要とされるアプリケーションレベルのシグナリングを定義するために用いてもよい。参照点ＧＣ２は、ＧＣＳＥ  ＡＳ３０２とＭｕＳｅ機能との間の参照点である。これは、３ＧＰＰ  ＥＰＳ層によって提供されるＧＣＳＥ  ＡＳ３０２とＭｕＳｅ機能との間のインタラクションを定義するために用いてもよい。
【００１９】
ＧＣＳＥユーザ（例えば、公衆安全要員、派遣サービス）は、ＧＣＳＥグループ毎に、グループ通信サービスが提供される地理的サービスエリアを構成する能力を有する。ＧＣＳＥグループへの加入の一部として、ユーザとＧＣＳＥ  ＡＳプロバイダとの間でＧＣＳＥグループ毎の地理的範囲を同意するようにしてもよい。このようなＧＣＳＥグループの地理的範囲は、ユーザによって再構成（reconfigured）できるようにしてもよい。
【００２０】
更に、以下に開示する技術によって、ＧＣＳＥ  ＡＳプロバイダは、３ＧＰＰシステムオペレータとの関係を有することができ、これによって、地理的サービスエリアは、対応する３ＧＰＰ  ＥＰＳ  ＭＢＭＳ（マルチメディアマルチキャスト及びブロードキャストサービス：Multimedia Multicast and Broadcast Service）サービスエリアとの予め定義されたマッピングを有し、例えば、ＭＢＭＳサービスエリアのリストに組み込むことができる。例えば、地理的サービスエリアは、下位エリアＡ、Ｂ、Ｃ…からなり、各下位エリアが、ＭＢＭＳサービスエリアアイデンティティ（MBMS Service Area Identities：ＭＢＭＳ  ＳＡＩ）の対応するリストＡ、リストＢ、リストＣに予めマッピングされる。地理的サービスエリアの３ＧＰＰシステムオペレータＥＰＳ固有ＭＢＭＳサービスエリアへのマッピングは、例えば、ＨＳＳ（家庭用加入者サーバ：home subscriber server）及び／又は及び／又はＰＣＲＦ（ポリシ及び課金規則機能：policy and charging rules function）エンティティにおいて、ＥＰＳ内の適切な構成によって行ってもよい。これらの構成により、ＭＢＭＳサービスエリアが、対応する地理的サービスエリアより大きくならないことが確実となる。このような構成によって、ＧＣＳＥグループ通信は、ユニキャスト及びマルチキャストサービスの組合せを用いてＵＥに提供される。
【００２１】
ＧＣＳＥグループの地理的範囲が再構成されると、例えば下位エリアＡ、Ｂ、Ｃから構成される地理的サービスエリアが下位エリアＡ、Ｂ、Ｄ等に再構成された場合、対応する新しいＭＢＭＳサービスエリアへの新しい地理的サービスエリアの適切なマッピングが３ＧＰＰ  ＥＰＳによって提供される。
【００２２】
定義された地理的サービスエリアを有するＧＣＳＥグループについては、通常、グループ通信は、地理的サービスエリア内に位置する送受信メンバ間でのみ可能である。このような能力を可能にする１つの方法は、以下の通りである。
【００２３】
ＵＥ３０４がグループ通信に参加するために、ＧＣＳＥ  ＡＳ３０２への登録を要求する場合、ＵＥ３０４は、（例えば、地理的エリアＡ、エリアＢ等、ＧＣＳＥ  ＡＳ３０２によって理解される形式で）その地理的位置をＧＣＳＥ  ＡＳ３０２に渡す。
これに代えて、ＧＣＳＥ  ＡＳ３０２は、要求側ＵＥの位置情報を３ＧＰＰ  ＥＰＳから取得してもよい。
【００２４】
幾つかの実施形態においては、ＵＥ３０４は、グループ登録手続きの間に、ＧＣＳＥグループのためのグループＩＤと共にその地理的位置をＧＣＳＥ  ＡＳ３０２に渡す。これは、位置情報をＵＥから受信できない場合に、ＧＣＳＥ  ＡＳ３０２が３ＧＰＰ  ＥＰＳからＵＥ３０４の位置情報を取得する可能性を排除するものではない。ＵＥ３０４の地理的位置が既知になると、ＧＣＳＥ  ＡＳ３０２は、要求を承認する前に、要求側ＵＥ３０４が、要求されたグループＩＤの地理的サービスエリア内に位置することを検証する。１つの有利な側面として、要求側ＵＥの位置の検証によって、送受信メンバが、構成された地理的サービスエリア内に存在することを確実にすることができる。検証に成功すると、ＧＣＳＥ  ＡＳ３０２は、グループのためのＭＢＭＳ（マルチメディアブロードキャストマルチキャストサービス：Multimedia Broadcast Multicast Service）送信を特定するパラメータ、例えば、グループ及び関連するＭＢＭＳサービスエリア情報のためのＴＭＧＩ（一時的モバイルグループアイデンティティ：Temporary Mobile Group Identity）をＵＥ３０４に返す。これにより、ＵＥ３０４は、構成されたＭＢＭＳサービスエリアからいつ出たかを知ることができる。
【００２５】
グループ通信が開始されると、グループメンバは、フロア要求を行い、ＧＣＳＥ  ＡＳ３０２は、ＧＣＳＥグループの全ての登録メンバのためのマルチキャスト及び／又はユニキャストベアラをセットアップする。このようなベアラは、全ての受信グループメンバへのグループ通信のダウンリンク（ＤＬ）配信のために使用される。更に、全ての登録グループ通信メンバに配信するべきＵＬメディアを送信するために、送信グループメンバ（フロア要求をしたメンバ）のためのアップリンク（ＵＬ）ベアラも確立される。
【００２６】
ユニキャストベアラをセットアップするために、ＧＣＳＥ  ＡＳ３０２は、このようなベアラのセットアップを構成された地理的サービスエリア内に位置するＵＥのみに制限する。
【００２７】
マルチキャスト（ＭｕＳｅ／ＭＢＭＳ）ベアラをセットアップするために、ＧＣＳＥ  ＡＳ３０２は、当該地理的サービスエリアに対応するＭＢＭＳサービスエリア情報を、ＧＣ２参照点を介して、ＭｕＳｅ機能３０６に渡す。ＥＰＳは、このようなＭＢＭＳサービスエリアに制限される適切なＭＢＭＳベアラをセットアップする。
【００２８】
幾つかの実施形態においては、グループ通信は、「モバイル」グループメンバについてもサポートされる。ＭＢＭＳベアラを介するＤＬグループ通信の場合、新しい位置に移動するＵＥ３０４は、（例えば、３ＧＰＰ  ＥＰＳによって送信されているグループＴＭＧＩ情報を監視することによって）新しい位置で当該グループのためのＭＢＭＳ送信を取得し、ＤＬグループ通信の受信を継続する。ＵＥ３０４は、移動によってＭＢＭＳ送信を失うと、この新しい位置をＧＣＳＥ  ＡＳ３０２に通知することができる。ＵＥ３０４の新しい位置が構成された地理的サービスエリア内にあること、又はＵＥ３０４が、新しい位置から、このグループ通信を継続することが認められていることが検証されると、ＧＣＳＥ  ＡＳ３０２は、ＵＥ３０４のためのユニキャストベアラをセットアップし、ＤＬ通信を継続することができる。この他の場合、グループメンバがサービスエリアから移動して出たこと知らせる通知を要求側エンティティに送信してもよい。
【００２９】
更に他の方法では、システムは、その受信メンバについて、ＧＣＳＥグループのための特定のグループ通信送信の地理的エリア制約に例外を適用する（override）ことができる。この方法は、以下の通りである。
【００３０】
送信メンバは、例えば、「位置：ａｂｃに例外適用」といったパラメータを含むＧＣＳＥ  ＡＳ３０２への地理的エリア修正要求（Modify Geo Area Request）を開始する。これに代えて、受信メンバのためのサービスエリアの例外適用は、ＧＣＳＥ  ＡＳ３０２における「ディスパッチャ（dispatcher）」エンティティによって開始してもよい。グループメンバがこのような要求を行うことが許可されていることが検証されると、ＧＣＳＥ  ＡＳ３０２は、（ＧＣ２参照点を介して）３ＧＰＰ  ＥＰＳ内のＭｕＳｅ／ＭＢＭＳ機能に、後続するグループ通信送信に適用可能な新規／例外適用ＭＢＭＳサービスエリア情報を渡す。
【００３１】
３ＧＰＰ  ＥＰＳは、ＧＣＳＥ  ＡＳ３０２から受信した新規／例外適用ＭＢＭＳサービスエリア情報によって特定されたＭＢＭＳサービスエリア内にＭＢＭＳベアラをセットアップする。
【００３２】
ＭＢＭＳベアラにカバーされていないサービスエリアに例外適用を行う場合、ＧＣＳＥ  ＡＳ３０２は、ＤＬグループ通信送信のためのユニキャストベアラをセットアップする。
【００３３】
更に他の技術では、システムは、特定のグループ通信送信（group communication transmission）を、このグループの地理的サービスエリア内の地理的下位サービスエリアに制限することができる。この場合、地理的下位サービスエリア内の受信メンバのみがグループ通信を受信する。この方法は、以下のように機能してもよい。
【００３４】
送信メンバは、「位置：ａｂｃをフィルタリング（filter location:abc）」といったパラメータを含むＧＣＳＥ  ＡＳ３０２への地理的エリア修正要求（Modify Geo Area Request）を開始する。これに代えて、受信メンバのためのサービスエリアの「フィルタリング」は、ＧＣＳＥ  ＡＳ３０２における「ディスパッチャ」エンティティによって開始してもよい。グループメンバがこのような要求を許可されていることが検証されると、ＧＣＳＥ  ＡＳ３０２は、（ＧＣ２参照点を介して）３ＧＰＰ  ＥＰＳ内のＭｕＳｅ／ＭＢＭＳ機能に、後続するグループ通信送信に適用可能な新規の／フィルタリングされたＭＢＭＳサービスエリア情報を渡す。
【００３５】
３ＧＰＰ  ＥＰＳは、ＭＢＭＳベアラのセットアップを、このフィルタリングされたＭＢＭＳサービスエリアによって特定されているＭＢＭＳサービスエリアに制限する。
【００３６】
ＭＢＭＳベアラによってカバーされていないフィルタリングされたサービスエリアについては、ＧＣＳＥ  ＡＳ３０２は、ＤＬ送信のためのユニキャストベアラをセットアップする。フィルタリングは、地理的下位エリアを含ませるように行ってもよく、地理的下位エリアを除外するように行ってもよい。
構成された地理的サービスエリア内のグループ通信
図４Ａ及び図４Ｂを参照して、以下の能力をサポートする技術について更に説明する。
【００３７】
図４Ａ及び図４Ｂに表されている信号交換によって、ユーザは、グループ通信サービスが提供されるＧＣＳＥグループ毎に地理的サービスエリアを構成することができる。また、ユーザは、ＧＣＳＥグループのための地理的サービスエリアを再構成することもできる。信号交換は、ネットワーク内の２つの異なるＵＥを表すＵＥ１  ４０２及びＵＥ２  ４０４、並びに、例えば、上述した、ＥＰＳ４０６、ＭｕＳｅ３０６及びＧＣＳＥ  ＡＳ３０２といったエンティティ間で行われる。
【００３８】
ＧＣＳＥグループ毎の地理的範囲は、ＧＣＳＥグループへの加入の一部として、ユーザ（例えば、公衆安全要員、派遣サービス）とＧＣＳＥ  ＡＳ３０２プロバイダとの間で同意するようにしてもよい。
【００３９】
ＧＣＳＥ  ＡＳ３０２プロバイダは、３ＧＰＰシステムオペレータと関係を有することができ、これによって、地理的サービスエリアは、対応する３ＧＰＰ  ＥＰＳ  ＭＢＭＳサービスエリアとの予め定義されたマッピングを有し、例えば、ＭＢＭＳサービスエリアのリストに組み込むことができる。例えば、地理的サービスエリアは、下位エリアＡ、Ｂ、Ｃ…からなり、各下位エリアが、ＭＢＭＳサービスエリアアイデンティティ（MBMS Service Area Identities：ＭＢＭＳ  ＳＡＩ）の対応するリストＡ、リストＢ、リストＣに予めマッピングされる。
【００４０】
地理的サービスエリアの３ＧＰＰ  ＥＰＳ固有ＭＢＭＳサービスエリアへのマッピングは、例えば、ＨＳＳ（家庭用加入者サーバ：home subscriber server）及び／又はＰＣＲＦ（ポリシ及び課金規則機能：policy and charging rules function）エンティティにおいて、ＥＰＳ内の適切な構成によって行ってもよい。これらの構成により、ＭＢＭＳサービスエリアが、対応する地理的サービスエリアより大きくならないことが確実となる。図４Ａは、以下の例示的動作を示している。
【００４１】
（Ａ１−Ａ２）：ＭｕＳｅ／ＭＢＭＳ機能から、グループ通信のための３ＧＰＰ  ＥＰＳ  ＭＢＭＳ識別子、例えば、ＧＣＳＥグループのためのＴＭＧＩを要求する場合、ＧＣＳＥ  ＡＳ３０２は、各ＧＣＳＥグループのための地理的サービスエリアも要求メッセージに含ませる。３ＧＰＰ  ＥＰＳ４０６によって、地理的サービスエリアの対応するＭＢＭＳサービスエリア及び関連するＴＭＧＩへのマッピングがＧＣＳＥ  ＡＳ３０２において利用可能となる。ＧＣＳＥ  ＡＳ３０２は、例えば、ＭＢＭＳ  ＳＡＩのリストにおいて、ＧＣＳＥグループＩＤと、これらに関連するＴＭＧＩ及びＭＢＭＳサービスエリアのマッピングを維持する。
【００４２】
（Ａ３−Ａ４）：ＵＥ１  ４０２は、ＥＰＳ４０６に接続された後、ＧＣＳＥアプリケーションをオンにし、ＧＣＳＥ  ＡＳ３０２に登録する。ＧＣＳＥ  ＡＳにＧＣＳＥグループＩＤを送信することに加えて、ＵＥ１  ４０２は、登録メッセージにその位置情報も含ませる。ＵＥ１  ４０２がＧＣＳＥ  ＡＳ３０２に渡す位置情報は、地理的エリアＡ、エリアＢ等、ＧＣＳＥ  ＡＳが解釈可能な形式を有する。ＧＣＳＥアプリケーションに対応するＧＣＳＥグループＩＤは、ＵＥ３０４において事前に構成されると仮定する。
【００４３】
（Ａ５）：ＧＣＳＥは、要求側ＵＥ３０４が許可された地理的サービスエリア内に位置することを検証した後、ＧＣＳＥグループのためのＴＭＧＩ及び関連するＭＢＭＳサービスエリア情報をＵＥ１  ４０２に返す。ＵＥ３０４は、ＧＣＳＥグループのためのＴＭＧＩを保存することに加えて、関連するＭＢＭＳサービスエリア情報も保存する。これによって、ＵＥ１  ４０２は、構成されたＭＢＭＳサービスエリアからいつ出たかを知ることができる。
【００４４】
ＧＣＳＥ  ＡＳ３０２による登録ＵＥ１  ４０２の位置確認によって、送信メンバ及び受信メンバが構成された地理的サービスエリア内にあることを確実にすることができる。
【００４５】
ＧＣＳＥグループの地理的サービスエリアが再構成されると、ＧＣＳＥ  ＡＳは、再びＭｕＳｅ／ＭＢＭＳ機能を用いてＴＭＧ要求手順を実行することによって、キャッシュされている新しい地理的サービスエリアのマッピングを新しいＭＢＭＳサービスエリアのそれぞれに更新する。ＧＣＳＥ  ＡＳは、Ａ５に示すような手順を使用して、このような新しい／更新されたＭＢＭＳサービスエリア情報を、登録されている全てのＧＣＳＥグループメンバにプッシュする。
【００４６】
（Ａ６−Ａ７）：ＵＥ１  ４０２は、３ＧＰＰ  ＥＰＳ（例えば、ＬＴＥ基地局）が送信するＴＭＧＩ情報を読み込み、当該ＧＣＳＥグループのためのＭＢＭＳサービスエリア内に自らが位置するかを判定する。これに応じて、ＵＥ１  ４０２は、３ＧＰＰ  ＥＰＳ送信から読み込まれたＴＭＧＩと、自らがＭＢＭＳサービスエリア内にあることを示す「ＭＢＭＳサービスエリア内にある旨の指示」をＧＣＳＥ  ＡＳ３０２に通知する。
【００４７】
（Ａ８）：位置ＢにおけるＵＥ２  ４０４は、ＵＥ１  ４０２が使用し、及びＧＣＳＥグループＩＤ（グループ−１）によって特定される同じアプリケーションに接続し、これをオンにする。ＵＥ２  ４０４は、このＧＣＳＥグループＩＤのＧＣＳＥ  ＡＳに登録するとともに、ＧＣＳＥ  ＡＳ３０２に自らの位置を通知する。ＧＣＳＥ  ＡＳ３０２は、要求側ＵＥが地理的サービスエリア内に位置することを検証し、特定されたＧＣＳＥグループＩＤのためのＴＭＧＩ及び関連するＭＢＭＳサービスエリア情報をＵＥ２  ４０４に返す。ＵＥ２  ４０４は、自らが現在、当該ＧＣＳＥグループのためのＭＢＭＳサービスエリア内に位置することを判定し、及びこれをＧＣＳＥ  ＡＳに通知する。
【００４８】
（Ａ９、Ａ１０、Ａ１１）：ＵＥ２  ４０４は、当該ＧＣＳＥグループ（例えば、グループ１）のグループ通信を開始するためのフロア要求を行う。ＵＥ２  ４０４が構成された地理的サービスエリア内に位置することを知ると、要求が承認され、必要に応じて、３ＧＰＰ  ＥＰＳを介して、ＧＣＳＥ  ＡＳ及びＵＥ２  ４０４の間でユニキャストベアラが確立される。ＵＬグループ通信は、このユニキャストベアラを介して行われる。
【００４９】
（Ａ１２、Ａ１３、Ａ１４）：現在知られているＧＣＳＥグループ通信手順では、完全なＭＢＭＳサービスエリアに亘ってＭＢＭＳベアラを事前に確立する必要があるが、これに対し、本発明は、ＭＢＭＳベアラを事前に確立することを提案しない。ＭＢＭＳベアラが確立され、各ＵＥによって取得されるまでは、ＧＣＳＥ  ＡＳ３０２は、ユニキャストベアラを介してＵＥにＤＬ通信を提供することができる。
【００５０】
ＭＢＭＳベアラを設定するためにかかる時間、アプリケーションの性質、待ち時間要件、受信メンバの数等は、ＧＣＳＥ  ＡＳがいつＭＢＭＳベアラをセットアップするかを判定するための判定材料となる。
【００５１】
（Ａ１５）：Ａ７及び、例えば、同じＭＢＭＳサービスエリア内の登録ユーザの数等の他の要因から、ＵＥ１  ４０２が、当該ＧＣＳＥグループ（例えば、グループ−１）のためのＭＢＭＳサービスエリア内にあることを知ると、ＧＣＳＥ  ＡＳは、マルチキャストベアラを用いて、ＭｕＳｅ／ＭＢＭＳ機能を介して、ＤＬグループ通信を提供することを決定する。
【００５２】
（Ａ１６、Ａ１７、Ａ１８）：ＧＣＳＥ  ＡＳ３０２がＭｕＳｅ機能３０６を介してＤＬグループ通信を提供することを決定すると、ＧＣＳＥ  ＡＳ３０２は、ＧＣ２参照点を介して、ＭＢＭＳベースのサービスが提供されるＭＢＭＳサービスエリア情報（例えば、ＭＢＭＳサービスエリア識別情報のリスト）をＭｕＳｅ機能３０６に渡す。ＭＢＭＳサービスエリア情報は、ＤＬ  ＭＢＭＳベースのグループ通信が当該地理的エリアに制限されることを確実にする。
【００５３】
（Ａ１９）：３ＧＰＰ  ＥＰＳは、ＧＣＳＥ  ＡＳ３０２から受信したＭＢＭＳサービスエリア識別子のリストによって特定されたＭＢＭＳサービスエリア内でＭＢＭＳベアラをセットアップする。３ＧＰＰ  ＥＰＳは、望まれるＭＢＭＳサービスエリア内の関連するＴＭＧＩによって特定されるＧＣＳＥグループ（例えば、グループ１）のためのＤＬグループ通信送信の入手可能性のブロードキャストを開始する。ＤＬグループ通信送信も開始される。
【００５４】
（Ａ２０、Ａ２１）：ＵＥ１  ４０２（位置Ａ）は、当該ＧＣＳＥグループ（例えば、グループ１）のＴＭＧＩを検出し、ＤＬ  ＭＢＭＳベアラを取得する。Ａ１３においてＵＥ１  ４０２に割り当てられているユニキャストベアラがある場合、このユニキャストベアラを削除する。
【００５５】
（Ａ２２、Ａ２３、Ａ２４）：ＵＥが新しい位置に移動し、自らがＭＢＭＳサービスエリアの外に出たと判定すると、ＵＥは、この新しい位置及び当該ＧＣＳＥグループについて、「ＭＢＭＳ送信を失った旨の指示」をＧＣＳＥ  ＡＳ３０２に通知する。新しい位置のＵＥが、未だ構成された地理的サービスエリア内にあること、又はＵＥが新しい位置から、このグループ通信を継続することが認められていること検証すると、ＧＣＳＥ  ＡＳは、ユニキャストベアラを用いてＤＬグループ通信を提供することを決定できる。
【００５６】
新しい位置のＵＥが地理的サービスエリアの外に出たとＧＣＳＥ  ＡＳ３０２が判定すると、ＧＣＳＥ  ＡＳは、このような情報を用いて、ＵＥ（グループメンバ）がグループのサービスエリアを出たことを知らせる要求側エンティティへの通知を生成する。
【００５７】
（Ａ２５、Ａ２６）：ＧＣＳＥ  ＡＳは、（必要に応じて）３ＧＰＰ  ＥＰＳを介して、ＵＥ１  ４０２とのユニキャストベアラを確立する。ＧＣＳＥグループ（例えば、グループ１）のためのＤＬグループ通信は、このユニキャストベアラを介して継続する。
地理的サービスエリア例外適用（Override）及びフィルタリングによるグループ通信
【００５８】
図５は、以下の能力をサポートする方法の例を示している。これらの方法は、本発明の出願の時点において知られているＧＣＳＥグループ通信手順に追加される。
【００５９】
システムは、その受信メンバについて、ＧＣＳＥグループのための特定のグループ通信送信の地理的エリアの制約に例外を適用することができる。このような例外適用を実行するために、送信メンバは、例えば、「位置：ａｂｃに例外適用」といったパラメータを含むＧＣＳＥ  ＡＳ３０２への地理的エリア修正要求（Modify Geo Area Request）を開始する。これに代えて、このような「例外適用」要求は、ＧＣＳＥ  ＡＳ３０２における「ディスパッチャ」エンティティによって開始してもよい。
【００６０】
また、システムは、特定のグループ通信をそのグループの地理的範囲内の地理的下位エリアに制限するメカニズムを提供する。この場合、地理的下位エリア内の受信メンバのみがグループ通信を受信する。このような受信を地理的下位エリア内に限る制約は、ＧＣＳＥ  ＡＳ３０２における「ディスパッチャ」エンティティによって開始してもよい。
（Ｂ１、Ｂ２、Ｂ３、Ｂ４、Ｂ５、Ｂ６、Ｂ７、Ｂ８）：包括的に、それぞれＡ１〜Ａ８と同様である。
【００６１】
（Ｂ９、Ｂ１０、Ｂ１１）：ＧＣＳＥ  ＡＳ３０２に地理的エリア修正要求をシグナリングする場合、ＵＥ１  ４０２は、例えば、以降のグループ通信送信のインスタンスを地理的エリアＢ及びＣのみに制限することを求める「エリア：Ｂ、Ｃをフィルタリング」等のパラメータを含ませる。この要求は、限定された地理的エリアに配信する必要があるメディア（配信内容）のタイプを示すメディアタイプフィルタリング情報を含んでいてもよい。ＵＥ１  ４０２がこのような要求を行うことが許可されており、地理的エリアＢ及びＣが、このグループのための地理的サービスエリアの下位集合であることを検証すると、要求が承認される。
【００６２】
地理的領域制約に例外を適用する場合、ＵＥは、ＧＣＳＥ  ＡＳにシグナリングされる地理的エリア修正要求に「位置：ａｂｃに例外適用」等のパラメータを含ませる。「位置：ａｂｃに例外適用」によって特定される位置においてＵＥがこのような例外適用要求を行うことが許可されていることを検証すると要求が承認される。このような「例外適用」手順は、先の具体例では、詳細に説明していない部分である。
【００６３】
（Ｂ１２）：ＧＣＳＥ  ＡＳ３０２は、ＵＥから受信したフィルタ基準に基づいてフィルタリングされた地理的サービスエリア（地理的エリアＢ及びＣ）内のＤＬグループ通信を提供することを決定する。これに代えて、ＧＣＳＥ  ＡＳ３０２は、ローカルポリシに基づいて、グループ通信の特定のインスタンスに地理的フィルタリングを適用してもよい。このような「フィルタリングされた地理的エリア」内のＤＬグループ通信は、ＧＣＳＥ  ＡＳが自律的に開始してもよく、例えば、ディスパッチサービスのための「ディスパッチャ」エンティティによって開始してもよい。上述の手順及び登録ユーザの数等の他の要因から、ＵＥがフィルタリングされた地理的エリア内に登録されていることを知ると、ＧＣＳＥ  ＡＳ３０２は、ＭｕＳｅを介して、ＤＬグループ通信を提供することを決定する。
【００６４】
（Ｂ１３）：ＧＣＳＥ  ＡＳ３０２は、ＭＢＭＳベースのサービスが提供される地理的エリアＢ及びＣのためのＭＢＭＳサービスエリア情報（例えば、地理的エリアＢ及びＣのためのＭＢＭＳサービスエリアアイデンティティのリスト）及び望まれるメディアタイプ情報を、ＧＣ２参照点を介して、ＭｕＳｅ機能３０６に渡す。
【００６５】
（Ｂ１４、Ｂ１５）３ＧＰＰ  ＥＰＳは、ＧＣＳＥ  ＡＳ３０２から受信したＭＢＭＳサービスエリア識別子のリストによって特定されるＭＢＭＳサービスエリア内のＭＢＭＳベアラをセットアップする。３ＧＰＰ  ＥＰＳは、望まれるＭＢＭＳサービスエリア内の関連するＴＭＧＩによって特定されるＧＣＳＥグループ（例えば、グループ１）のためのＤＬグループ通信送信の入手可能性のブロードキャストを開始する。ＤＬグループ通信送信も開始される。
【００６６】
（Ｂ１６、Ｂ１７）：ＵＥ２  ４０４（位置Ｂ）は、当該ＧＣＳＥグループ（例えば、グループ１）のＴＭＧＩを検出し、ＤＬ  ＭＢＭＳベアラを取得する。同様に、ＵＥ３（位置Ｃ、図示せず）も当該ＧＣＳＥグループ（例えば、グループ１）のＴＭＧＩを検出し、ＤＬ  ＭＢＭＳベアラを取得する。
【００６７】
図６は、無線ネットワークにおいて、グループ通信サービスを実現する方法６００のフローチャートである。方法６００は、ネットワーク側（例えば、ＧＣＳＥ  ＡＳ３０２）で実現してもよい。
【００６８】
６０２において、方法６００は、第１のユーザ機器から受信した第１の要求に基づいて、グループ通信サービスを確立する。このグループ通信サービスの確立は、要求に関連する地理的情報に応じたものである。幾つかの実施形態においては、要求に関連する地理的情報は、第１のユーザ機器の位置、例えば、地理座標、ＵＥに無線アクセスを提供する基地局の識別情報等を含む。
【００６９】
幾つかの実施形態においては、上述したように、ユーザ機器は、グループ通信要求内で位置情報を提示してもよい。幾つかの実施形態においては、要求に関連する地理的情報は、例えば、郵便番号、又は人間が理解できる記述（例えば、「北オハイオ」）を含んでいてもよい。幾つかの実施形態においては、方法６００は、無線ネットワークにおける他のサーバと通信することによって要求側ＵＥの地理的位置を取得してもよい。
【００７０】
６０４において、方法６００は、無線通信ネットワーク内の第１のサーバとメッセージを交換し、グループ通信サービスに通信リソース（送信リソース）を割り当てる。上述したように、無線ネットワーク内にＭｕＳｅ機能を設け、ＭＢＭＳリソースをグループ通信に割り当ててもよい。要求され、割り当てられるサービスは、１つのモバイル機器のみがグループ通信サービスの一部であるユニキャスト通信リソースをセル内に含ませてもよく、複数のモバイル機器がグループ通信サービスの一部であるマルチキャスト通信リソース（マルチキャスト送信リソース）をセル内に含ませてもよい。
【００７１】
６０６において、方法６００は、グループ通信サービスへの第２のユーザ機器の加入を管理する。幾つかの実施形態では、第２の（及び以降の）ＵＥは、方法６００によって制御される承認プロセスを経由した場合に限り、グループ通信サービスに参加できる（例えば、上述したＧＣＳＥ）。上述した通り、ＵＥのグループ通信サービスへの加入又はＵＥのグループ通信サービスからの離脱に応じて、又は参加ＵＥが１つの基地局の通信範囲から他の基地局の通信範囲に移動することに応じて、方法６００は、通信リソースを調整して、（例えば、新しいＵＥが参加したとき又は既存のＵＥが新しいセルに入ったとき）追加的なリソースを割り当て、リソースを強化し（例えば、所与のセル内のＵＥの数が増加した場合、ユニキャストからマルチキャストに変更し）、又は（例えば、ＵＥがグループを離脱したとき又はセルから出たとき）リソースを解放してもよい。
図７は、通信ネットワーク内でグループ通信サービスを実現するための装置７００のブロック図である。
モジュール７０２は、地理的領域内の複数のモバイル機器にサービスを提供するグループ通信サービスを確立するモジュールである。
モジュール７０４は、新しいモバイル機器の資格取得に基づいて、新しいモバイル機器のグループ通信サービスへの参加を制御するモジュールである。
モジュール７０６は、グループ通信サービスに無線通信リソースを割り当てるモジュールである。
装置７００及びモジュール７０２、７０４、７０６は、更に、本明細書に開示している幾つかの技術を実現するように構成してもよい。
【００７２】
以上のように、使用される通信リソースの量を最小化して、所与の地理的領域内のモバイル機器がグループとして互いに通信することを許可するグループ通信技術を開示した。ネットワーク内のハードウェア及び／又はソフトウェアエンティティは、ユーザによるグループへのアクセスを制御する。
【００７３】
更に、グループ通信によって使用される通信リソースは、グループに参加し、グループから離脱し、及び１つのセルから他のセルにローミングするモバイル機器に基づいて、動的に調整される。
【００７４】
ここに開示した実施形態及び他の実施形態、モジュール並びに機能的な動作は、デジタル電子回路で実現してもよく、本明細書に開示した構造及びこれらの構造的な均等物を含むコンピュータソフトウェア、ファームウェア又はハードウェアで実現してもよく、これらの１つ以上の組合せで実現してもよい。ここに開示した実施形態及び他の実施形態は、１つ以上のコンピュータプログラム製品、すなわち、コンピュータが読取可能な媒体内に符号化され、データ処理装置によって実行され、又はデータ処理装置の動作を制御するコンピュータプログラム命令の１つ以上のモジュールとして実現することもできる。コンピュータが読取可能な媒体は、機械可読のストレージデバイス、機械可読のストレージ基板、メモリデバイス、機械可読の伝播信号に作用する組成物又はこれらの１つ以上の組合せであってもよい。用語「データ処理装置」は、データを処理するための全ての装置、デバイス及び機械を包含し、一例として、プログラミング可能なプロセッサ、コンピュータ、複数のプロセッサ又はコンピュータがこれに含まれる。装置は、ハードウェアに加えて、当該コンピュータプログラムの実行環境を作成するコード、例えば、プロセッサファームウェアを構成するコード、プロトコルスタック、データベース管理システム、オペレーティングシステム又はこれらの１つ以上の組合せを含むことができる。伝播信号は、人工的に生成された信号であり、例えば、適切な受信装置への伝送のために情報を符号化するように機械が生成した電気信号、光信号又は電磁波信号である。
【００７５】
コンピュータプログラム（プログラム、ソフトウェア、ソフトウェアアプリケーション、スクリプト又はコードとも呼ばれる。）は、コンパイラ言語又はインタープリタ言語を含む如何なる形式のプログラミング言語で書いてもよく、例えば、スタンドアロンプログラムとして、若しくはモジュール、コンポーネント、サブルーチン又は演算環境での使用に適する他のユニットとして、如何なる形式で展開してもよい。コンピュータプログラムは、必ずしもファイルシステム内のファイルに対応していなくてもよい。プログラムは、他のプログラム又はデータを含むファイル（例えば、マークアップ言語文書内に保存された１つ以上のスクリプト）の一部に保存してもよく、当該プログラムに専用の単一のファイルに保存してもよく、連携する複数のファイル（例えば、モジュール、サブプログラム又はコードの一部を保存する１つ以上のファイル）に保存してもよい。コンピュータプログラムは、１つのコンピュータ上で実行されるように展開してもよく、１つの場所に設けられた又は複数の場所に亘って分散され、通信ネットワークによって相互接続された複数のコンピュータ上で実行されるように展開してもよい。
【００７６】
本明細書に開示したプロセス及びロジックフローは、入力データを処理し、出力を生成することによって機能を実現する１つ以上のコンピュータプログラムを実行する１つ以上のプログラミング可能なプロセッサによって実現してもよい。プロセス及びロジックフローは、例えば、フィールドプログラマブルゲートアレイ（field programmable gate array：ＦＰＧＡ）又は特定用途向け集積回路（application specific integrated circuit：ＡＳＩＣ）等の専用論理回路によって実行してもよい。
【００７７】
コンピュータプログラムの実行に適するプロセッサには、一例として、汎用マイクロプロセッサ及び専用マイクロプロセッサの両方、並びにあらゆる種類のデジタルコンピュータの１つ以上のプロセッサの何れかを含ませてもよい。プロセッサは、通常、読出専用メモリ若しくはランダムアクセスメモリ、又はこれらの両方から命令及びデータを受け取る。コンピュータの基本的な要素は、命令を実行するプロセッサと、命令及びデータを保存する１つ以上のメモリデバイスである。また、コンピュータは、通常、データを保存するための１つ以上の大容量記憶装置、例えば、磁気ディスク、光磁気ディスク又は光ディスクを含み、若しくは、大容量記憶装置からデータを受信し、大容量記憶装置にデータを伝送し、又はこの両方の動作を行うように大容量記憶装置に動作的に接続されている。但し、コンピュータは、必ずしもこのような装置を有する必要はない。コンピュータプログラム命令及びデータの格納に適するデバイスには、一例として挙げれば、半導体記憶デバイス、例えば、ＥＰＲＯＭ、ＥＥＰＲＯＭ及びフラッシュメモリデバイスを含む全ての形式の不揮発性メモリ、磁気ディスク、例えば、内蔵ハードディスク又はリムーバブルディスク、光磁気ディスク、並びにＣＤ−ＲＯＭディスク及びＤＶＤ−ＲＯＭディスク等が含まれる。プロセッサ及びメモリは、専用論理回路によって補ってもよく、専用論理回路に組み込んでもよい。
【００７８】
本明細書は、多くの詳細事項を含んでいるが、これらの詳細事項は、特許請求している又は特許請求することができる本発明の範囲を限定するものとは解釈されず、本発明の特定の実施形態の特定の特徴の記述として解釈される。本明細書において、別個の実施形態の文脈で開示した幾つかの特徴を組み合わせて、単一の実施形態として実現してもよい。逆に、単一の実施形態の文脈で開示した様々な特徴は、複数の実施形態に別個に具現化してもよく、適切な如何なる部分的組合せとして具現化してもよい。更に、以上では、幾つかの特徴を、ある組合せで機能するものと説明しているが、初期的には、そのように特許請求している場合であっても、特許請求された組合せからの１つ以上の特徴は、幾つかの場合、組合せから除外でき、特許請求された組合せは、部分的組合せ又は部分的な組合せの変形に変更してもよい。同様に、図面では、動作を特定の順序で示しているが、このような動作は、所望の結果を達成するために、図示した特定の順序又は順次的な順序で行う必要はなく、また、図示した全ての動作を行う必要もない。
【００７９】
幾つかの具体例及び実施例のみを開示した。ここに開示した内容に基づいて、上述した具体例及び実施例及び他の実施例を変形、変更及び拡張することができる。
【図１】
2016534608.tif 000003
【図２】
2016534608.tif 000004
【図３】
2016534608.tif 000005
【図４Ａ】
2016534608.tif 000006
【図４Ｂ】
2016534608.tif 000007
【図５】
2016534608.tif 000008
【図６】
2016534608.tif 000009
【図７】
2016534608.tif 000010
【手続補正書】
【提出日】平成28年3月24日(2016.3.24)
【手続補正１】
【補正対象書類名】明細書
【補正対象項目名】００１３
【補正方法】変更
【補正の内容】
【００１３】
図１は、無線通信システムの具体例を示している。無線通信システムは、１つ以上の基地局（ＢＳ）１０５、１０７、１つ以上の無線デバイス１１０及びアクセスネットワーク１２５を含むことができる。基地局１０５、１０７は、１つ以上の無線セクタにおいて、無線サービスを無線デバイス１１０に提供することができる。幾つかの具体例では、基地局１０５、１０７は、２つ以上の指向性ビームを生成し、異なるセクタの無線範囲を提供する指向性アンテナを含む。
【手続補正２】
【補正対象書類名】特許請求の範囲
【補正対象項目名】全文
【補正方法】変更
【補正の内容】
【特許請求の範囲】
【請求項１】
無線通信ネットワーク内のネットワーク側サーバで実現される方法において、
第１のユーザ機器から受信した第１の要求に基づいて、グループ通信サービスを確立するステップであって、前記グループ通信サービスの確立は、前記要求に関連する地理的情報に応じたものであるステップと、
前記無線通信ネットワーク内の第１のサーバとメッセージを交換し、前記グループ通信サービスに通信リソースを割り当てるステップと、
グループ通信サービスへの第２のユーザ機器の加入を管理するステップと、
を含む方法。
【請求項２】
前記要求に関連する地理的情報は、前記第１のユーザ機器の位置を含む、請求項１記載の方法。
【請求項３】
前記要求に関連する地理的情報は、前記第１のユーザ機器による前記第１の要求に含まれる、請求項１記載の方法。
【請求項４】
前記地理的情報は、前記グループ通信サービスによってカバーされる領域を特定する、請求項３記載の方法。
【請求項５】
前記第２のユーザ機器から、前記グループ通信サービスに参加するための第２の要求を受信するステップを更に含む、請求項４記載の方法。
【請求項６】
前記第２のユーザ機器が前記領域の外にあるとき、前記グループ通信サービスへの前記第２のユーザ機器の加入を拒否するステップを更に含む、請求項５記載の方法。
【請求項７】
前記第２のユーザ機器が前記領域外にあるとき、前記第２の要求が例外適用命令を含む場合のみ、前記グループ通信サービスへの前記第２のユーザ機器の加入を許可するステップを更に含む、請求項５記載の方法。
【請求項８】
前記第２のサーバと通信し、前記要求に関連する地理的情報を取得するステップを更に含む、請求項１記載の方法。
【請求項９】
前記グループ通信サービスにセル内の複数のユーザ機器が加入しているとき、前記割り当てられた通信リソースを調整して前記セルのマルチキャスト通信リソースを含ませるステップを更に含む、請求項１記載の方法。
【請求項１０】
前記通信リソースは、前記グループ通信サービスに割り当てられたマルチメディアブロードキャストマルチキャストサービス（multimedia broadcast multicast service：ＭＢＭＳ）チャンネルを含む、請求項１記載の方法。
【請求項１１】
コードを保存するメモリと、
前記メモリからコードを読み出し、請求項１乃至１０の何れか１項に記載の方法を実現するプロセッサと、を備える装置。
【請求項１２】
地理的領域内の複数のモバイル機器と、
グループ通信サービスイネーブラ（group communication service enabler：ＧＣＳＥ）と、を備え、
前記グループ通信サービスイネーブラは、
前記地理的領域において複数のモバイル機器にサービスを提供するグループ通信サービスを確立し、
新しいモバイル機器の資格取得に基づいて、前記新しいモバイル機器のグループ通信サービスへの参加を制御し、
前記グループ通信サービスに無線通信リソースを割り当てるように構成されている、通信システム。
【請求項１３】
前記ＧＣＳＥは、更に、
要求側モバイル機器が前記地理的領域内で動作している場合のみ、前記要求側モバイル機器が受信機又は送信機として前記グループ通信サービスに加入することを許可するように構成されている、請求項１２記載のシステム。
【請求項１４】
前記ＧＣＳＥは、前記地理的領域の外で動作する要求側モバイル機器が前記グループ通信サービスの地理的制約の例外適用を受ける証明を提示した場合のみ、前記要求側モバイル機器が受信機又は送信機として前記グループ通信サービスに参加することを許可するように構成されている、請求項１２記載のシステム。
【請求項１５】
無線通信を実現する装置において、
地理的情報を含む第１のグループ通信サービス要求を受信する手段と、
前記第１のグループ通信サービス要求に基づいてグループ通信サービスを確立する手段と、
前記グループ通信サービスのための通信リソースを取得する手段と、
前記グループ通信サービスへの加入を管理する手段と、
を備える装置。
【請求項１６】
前記加入を管理する手段は、前記地理的情報に基づいて、前記グループ通信サービスへの加入を管理する、請求項１５記載の装置。
【国際調査報告】
2016534608.tif 000011
2016534608.tif 000012